(57)【要約】【課題】部品点数が少なく、製造コストが低く、さらに、防水性能が高い無線通信装置を提供する。【解決手段】袋状ケース２は、回路基板４を収納すると共に、この回路基板４を収納するための開口部２５を有する。開口部２５はカバーで塞ぎ、アンテナ５を袋状ケースの側面に装着する。袋状ケース２の底面から袋状ケース２内に固定具６の一部が挿入される。これにより、固定具６は、アンテナ５の基部５３を保持すると共に、アンテナと上記回路基板を電気的に接続する。【選択図】図２
2008017277.tif 000002
【特許請求の範囲】
【請求項１】
回路基板と、
上記回路基板を収納すると共に、この回路基板を収納するための開口部を有する袋状ケースと、
上記開口部を塞ぐカバーと、
上記袋状ケースの側面に装着されるアンテナと、
上記袋状ケースの底面から上記袋状ケース内に少なくとも一部が挿入されて上記アンテナの基部を保持すると共に、上記アンテナと上記回路基板を電気的に接続する固定具と
を備えることを特徴とする無線通信装置。
【請求項２】
請求項１に記載の無線通信装置において、
上記回路基板は接続端子と貫通孔を備え、
上記アンテナの基部は係止孔を備え、
上記固定具は係止部を有する柱部材を備え、
上記柱部材は、上記袋状ケースの底面から上記貫通孔及び上記係止孔に挿通されて上記係止部が上記アンテナの基部に係止して、上記アンテナの基部と上記接続端子を接触させることを特徴とする無線通信装置。
【請求項３】
請求項１に記載の無線通信装置において、
上記回路基板は貫通孔を備え、
上記アンテナの基部は係止孔を備え、
上記固定具は、係止部を有する柱部材と、第１接点端子部材と、第２端子部材とを備え、
上記柱部材は、上記袋状ケースの底面から上記貫通孔及び上記係止孔に挿通されて上記係止部が上記アンテナの基部に係止して、上記第１接点端子部材を上記アンテナの基部に接触させると共に、上記第２端子部材を上記回路基板に接触させることを特徴とする無線通信装置。
【請求項４】
請求項１乃至３のいずれか１つに記載の無線通信装置において、
上記袋状ケース内に上記アンテナの基部を挟持するリブを備えることを特徴とする無線通信装置。
【請求項５】
請求項１乃至４のいずれか１つに記載の無線通信装置において、
上記固定具は弾性を有することを特徴とする無線通信装置。
【請求項６】
請求項５に記載の無線通信装置において、
上記袋状ケース内に上記固定具の弾性変形量を制限するリブを備えたことを特徴とする無線通信装置。
【発明の詳細な説明】
【技術分野】
【０００１】
本発明は、例えば屋外に設置されてデータ通信などを行う無線通信装置に関する。
【背景技術】
【０００２】
図６は、従来の無線通信装置を底面からみた分解斜視図である。
【０００３】
この無線通信装置は、回転機能を有し、ネジ穴を有するアンテナ１０５を備えている。このアンテナ１０５の基部１５３は、ケース１００の側面に設けた孔に挿通されてケース１００内に入って、ケース１００内部のボス１０１に基部１５３のネジ穴を介してネジ（図示しない）で固定される。
【０００４】
ケース１００内部に収容される回路基板１０４は、底板１１０と共にケース１００内部のボスにネジ１３０で固定される。
【０００５】
また、ケース１００の底板１１０側とは反対側には、回路基板１０４にはんだ付けされた接続端子やスイッチなど（図示しない）を覆うためにカバー１４０が取り付けられる。
【０００６】
基部１５３には、アンテナストッパー１２０が設けられている。このアンテナストッパー１２０がケース側面の嵌合部１４０ａに嵌め合わされている。これにより、ケース１００に対してアンテナ１０５の本体（基部１５３とは反対側の部分）を任意の回転角度で保持することができる。
【０００７】
また、アンテナ１０５と回路基板１０４は、これら相互間にリード線１０３を掛け渡し、夫々をリード線１０３にはんだ付けすることにより、電気的に接続状態になる。
【０００８】
さらに、雨水などからの防水性能を要求される屋外に設置される無線通信装置では、アンテナ１０５とケース１００の間にパッキン（図示しない）が挟み込まれているのに加えて、ケース１００内部の全周に設けられた溝１０２にひも状のパッキン（図示しない）を敷設し、その防水性能を高めている。
【０００９】
また、他の従来の無線通信装置としては、複数に分割された２つのケースの一方に設けられた保持座ともう一方に設けられたリブとでアンテナを挟持するものがある（特開２００１−４４７２６号公報参照）。
【００１０】
しかしながら、上述した従来の無線通信装置では、アンテナが固定されて回路基板を収納する筺体が、ケースと底板とカバーの組み合わせ、あるいは、分割された２つのケースで構成されており、また、回転機能を有するアンテナの回転角度を保持するためのアンテナストッパーが必要であり、さらに、雨水などに対する防水性能を高めるために、ケース内部全周に設けた溝に敷設するパッキンが必要であるので、部品点数が多くなっている。
【００１１】
このように、部品点数が多いので、必然的に組み立て作業工数が多いという問題がある。ひいては、製造コストがアップという問題がある。
【００１２】
また、アンテナと回路基板を電気的に接続するためには、はんだ付け作業を行う必要があるので、組み立て作業工数が多いという問題がある。
【００１３】
また、回路基板はケース内部に収納され、底板と共にケースに設けたボスにネジで固定されるので、組み立て作業工数が多いという問題がある。
【特許文献１】特開２００１−４４７２６号公報参照（図２）
【発明の開示】
【発明が解決しようとする課題】
【００１４】
そこで、本発明の課題は、部品点数が少なく、製造コストが低く、さらに、防水性能が高い無線通信装置を提供することにある。
【課題を解決するための手段】
【００１５】
上記課題を解決するため、本発明の無線通信装置は、
回路基板と、
上記回路基板を収納すると共に、この回路基板を収納するための開口部を有する袋状ケースと、
上記開口部を塞ぐカバーと、
上記袋状ケースの側面に装着されるアンテナと、
上記袋状ケースの底面から上記袋状ケース内に少なくとも一部が挿入されて上記アンテナの基部を保持すると共に、上記アンテナと上記回路基板を電気的に接続する固定具と
を備えることを特徴としている。
【００１６】
上記構成の無線通信装置によれば、上記袋状ケースの底面から袋状ケース内に少なくとも一部が挿入されてアンテナの基部を保持すると共に、アンテナと回路基板を電気的に接続する固定具を備えるので、上記従来の無線通信装置よりも部品点数を少なくでき、ネジ等による組立部も少なくでき、組み立て作業工数を削減することができる。
【００１７】
また、上記回路基板を袋状ケースに収納して、この袋状ケースの開口部をカバーで塞ぐことにより、外部に露出する部品間の接合部が少なくなるので、防水性能を高めることができる。
【００１８】
一実施形態の無線通信装置では、
上記回路基板は接続端子と貫通孔を備え、
上記アンテナの基部は係止孔を備え、
上記固定具は係止部を有する柱部材を備え、
上記柱部材は、上記袋状ケースの底面から上記貫通孔及び上記係止孔に挿通されて上記係止部が上記アンテナの基部に係止して、上記アンテナの基部と上記接続端子を接触させる。
【００１９】
上記実施形態の無線通信装置によれば、上記袋状ケースの底面から柱部材を貫通孔及び係止孔に挿通して、係止部をアンテナの基部に係止させるだけで、アンテナの基部が接続端子に接触して、アンテナが回路基板に電気的に接続する。
【００２０】
したがって、上記回路基板に対するアンテナの電気的な接続を簡単にすることができる。
【００２１】
一実施形態の無線通信装置では、
上記回路基板は貫通孔を備え、
上記アンテナの基部は係止孔を備え、
上記固定具は、係止部を有する柱部材と、第１接点端子部材と、第２端子部材とを備え、
上記柱部材は、上記袋状ケースの底面から上記貫通孔及び上記係止孔に挿通されて上記係止部が上記アンテナの基部に係止して、上記第１接点端子部材を上記アンテナの基部に接触させると共に、上記第２端子部材を上記回路基板に接触させる。
【００２２】
上記実施形態の無線通信装置によれば、上記柱部材を袋状ケースの底面から貫通孔及び上記係止孔に挿通して、係止部をアンテナの基部に係止させるだけで、第１接点端子部材がアンテナの基部に接触すると共に、第２端子部材が回路基板に接触して、アンテナが回路基板に電気的に接続する。
【００２３】
したがって、上記回路基板に対するアンテナの電気的な接続を簡単にすることができる。
【００２４】
一実施形態の無線通信装置では、
上記袋状ケース内に上記アンテナの基部を挟持するリブを備える。
【００２５】
上記実施形態の無線通信装置によれば、上記袋状ケース内にアンテナの基部を挿入したときに、袋状ケース内のリブがアンテナの基部の先端部を挟持するので、固定具を挿入する作業が確実にかつ容易に行える。
【００２６】
一実施形態の無線通信装置では、
上記固定具は弾性を有する。
【００２７】
上記実施形態の無線通信装置によれば、上記固定具が弾性を有するので、固定具で基部が保持されたアンテナを外方へスライドさせることが可能になる。
【００２８】
したがって、上記アンテナを外方へスライドさせて、袋状ケースとアンテナの係合を解除して、袋状ケースに対するアンテナの角度を簡単に変更することができる。
【００２９】
また、上記袋状ケースに対するアンテナの角度を簡単に変更した後は、固定具の弾性力でアンテナを元に戻すことができる。つまり、上記袋状ケースとアンテナを係合させることができる。
【００３０】
一実施形態の無線通信装置では、
上記袋状ケース内に上記固定具の弾性変形量を制限するリブを備える。
【００３１】
上記実施形態の無線通信装置によれば、上記袋状ケース内に上記固定具の弾性変形量を制限するリブを備えているので、袋状ケースに対するアンテナの角度を簡単に変更するために、アンテナの外方へスライド量が制限され、固定具の破損を防止することができる。
【発明の効果】
【００３２】
本発明の無線通信装置によれば、回路基板の収納部が袋状ケースからなり、その底面から挿入された固定具でアンテナを保持すると共に、アンテナ基部と回路基板を電気的に接続するものであり、部品点数が少なく、組み立て作業工数を削減して製造コストを削減し、さらに、防水性能を高くすることができる。
【発明を実施するための最良の形態】
【００３３】
以下、本発明に係る無線通信装置の第１，第２実施形態について図面を参照して説明する。
【００３４】
（第１実施形態）
図１は本発明の第１実施形態の無線通信装置１の斜視図である。図２は本発明の第１実施形態の無線通信装置１の分解状態を示す部分断面図である。図３は本発明の第１実施形態の無線通信装置１の主要断面図である。図４は本発明の第１実施形態の無線通信装置１の主要断面図である。
【００３５】
上記無線通信装置１は、図１，図２に示すように、袋状ケース２と、この袋状ケース２の開口部２５を塞ぐカバー３と、袋状ケース２に内蔵される回路基板４と、袋状ケース２の側面から装着されるアンテナ５と、袋状ケース２の底面から挿入されてアンテナ５の基部５３を保持する固定具６とを備えている。
【００３６】
袋状ケース２は、図１に示すように、四角形状の底板２１と、四角形状の上板２２と、底板２１および上板２２の後側一辺を残した３周縁に一体の取り付けた側板２３，前板２４とからなり、袋状をなしている。上板２２において側板２３，２３，前板２４を取り付けていない後側一辺は開口部２５の一部を形成している。この開口部２５の他の一部を形成する側板２３の縁部は底板２１の後端から所定距離離れた位置から上板２２に向かって斜めに延びている。
【００３７】
袋状ケース２の開口部２５と対向する前板２４の内面の両端部には、図２に示すように、中央部に切り欠き溝２６ａを有するブラケット２６が形成されている。また、前板２４の外面には吊環２４ａが一体に形成されている。
【００３８】
側板２３，２３の一方の側板前方には、アンテナ５の基部５３を挿入するアンテナ挿入孔２３ａが穿ってある。また、アンテナ挿入孔２３ａの外側周縁には、図３に示すように、防水のためのパッキン２７が設けられている。側板２３には、パッキン２７の周縁部のみ側板２３の肉厚を厚くした肉厚部２３ｂを設けて、パッキン２７の収納部を形成している。さらに、肉厚部２３ｂには、アンテナ５の本体５１を任意の回転角度で保持するための突起２３ｃを設けている。
【００３９】
底板２１には、前後方向がアンテナ挿入孔２３ａの位置で左右方向がアンテナ挿入孔２３ａの近傍適宜位置に後述するように固定具６を挿通してアンテナ５を保持するための貫通孔２１ａが設けてある。
【００４０】
カバー３は、図１に示すように、開口部２５を塞ぐものであって、上板３１と、この上板３１の３辺に一体に形成された側板３２，３２，後板３３とからなっている。この後板３３は、側板２４と対向する面である。側板３２，３２と上板３１の前側端縁の形状は、袋状ケース２の開口部２５の形状と逆の形状をしており、側板３２，３２と上板３１の連続する前端縁は、内側に凹んだ段差部３４を形成し、袋状ケースの開口部２５の内側にカバー３を密接状態で挿入できるようなっている。また、カバー３の下端部の図中左右方向の中央部には、断面半円形の凹部３５が上板３１から後板３３の高さ方向の中央を少し越えたところまで形成されている。この凹部３５の底部には、ネジ３７が挿通するネジ孔３６が設けられている。
【００４１】
カバー３の段差部３４を開口部２５に挿入して、開口部２５をカバー３で塞ぎ、ネジ３７を底板２１に螺合すると、袋状ケース２とカバー３は水密状態で一体になり函体を形成する。
【００４２】
回路基板４の後端部には、図２に示すように、外部接続端子を有する端子台４１が一体にはんだ付けされている。
【００４３】
また、回路基板４には、アンテナ５を保持し、かつ、アンテナ５と回路基板４とを電気的に接続するための貫通孔４３が設けてある。
【００４４】
また、回路基板４には、貫通孔４３に対してアンテナ挿入孔２３ａ側と反対側に接続端子４４（図４参照）の凸部４４ａを臨ませる貫通孔４５が設けてある。
【００４５】
また、回路基板４の裏側には、図３に示すように、導電性を有する材料からなる弾力性を有する細長の接続端子４４の一端が固定して取り付けられている。この接続端子４４の他端には上方に向かって突出する凸部４４ａが形成されている。
【００４６】
凸部４４ａは、貫通孔４５に挿通されて回路基板４から突出している。また、凸部４４ａは、後述するアンテナ５の基部５３と接触して、アンテナ５と回路基板４とを電気的に接続できる。
【００４７】
回路基板４と端子台４１とが一体になった状態で、袋状ケース２の開口部２５から回路基板４を前にして袋状ケース２に挿入し、ブラケット２６の切り欠き溝２６ａに回路基板４の前端を挿入すると、回路基板４は安定した状態で袋状ケース２に内蔵される。その後カバー３を開口部２５に挿入すると、端子台４１を覆って袋状ケース２の開口部２５を水密的に塞ぐことができる。
【００４８】
アンテナ５は、図２に示すように、導電性を有する材料が収納されている本体５１と、導電性を有する材料からなる基部５３とからなっている。本体５１はその下方で屈曲自在になっており、本体５１の下端には周囲に所定間隔に複数の切り込みが形成されたリング状のホルダ５２が固定されている。基部５３は、本体５１と通電可能かつ回転可能に接続されている。また、基部５３は、基部５３をアンテナ挿入孔２３ａに、ホルダ５２が側板２３に当接するまで挿入したときに、底板２１の貫通孔２１ａと回路基板４の貫通孔４３と合致する位置に、貫通係合孔５３ａを有している。また、基部５３の長さは、基部５３をアンテナ挿入孔２３ａに、ホルダ５２が側板２３に当接するまで挿入したときに、その先端が、回路基板４の接続端子４４に達する長さである。実施形態では、基部５３は、回路基板４の上面に接した状態で挿入されている。
【００４９】
固定具６は、袋状ケース２の底板２１の貫通孔２１ａから挿入されてアンテナ５の基部５３を保持すると共に、回路基板４の接続端子４４に基部５３を接触させて、アンテナ５と回路基板４とを電気的に接続するものである。
【００５０】
より詳しくは、固定具６は、片面周囲にリング状の縁を有する蓋部材６１と、蓋部材６１の中央部に一体的に立接した弾性部材の柱部材６２と、柱部材６２の先端に形成された引っ掛け係止部６３とから構成されている。蓋部材６１には、ネジ６４を挿通するネジ孔６１ａが穿ってある。
【００５１】
以下、無線通信装置１の組立について説明する。
【００５２】
先ず、袋状ケース２内部に回路基板４の端子台４１側を後にして、回路基板４の先端がブラケット２６の溝２６ａに嵌合するまで挿入する。
【００５３】
次に、基部５３をアンテナ挿入孔２３ａに挿入し、ホルダ５２を側板２１に当接させ、ホルダ５２のきり欠き５２ａが側板２３の突起２３ｃに嵌合させる。そうすると、袋状ケース２の貫通孔２１ａと回路基板４の貫通孔４３と基部５３の貫通係合孔５３ａとは上下位置に直線状に順次並ぶ。つまり、貫通孔２１ａは、貫通孔４３および貫通係合孔５３ａに重なる。
【００５４】
また、本体５１は、基部５３に対して図２の矢印Ａ方向に回転自在になっているが、ホルダ５２のきり欠き５２ａが突起２３ｃに嵌合するようになっている。これにより、袋状ケース２に対して本体５１を任意の回転角度で保持することができる。そして、その角度を変更したいときは、図４に示すように、本体５１に矢印Ｂ方向に引張り力を与えると、弾性部材である固定具６の柱部材６２が撓んで、本体５１が矢印Ｂ方向に移動して、ホルダ５２のきり欠き５２ａが突起２３ｃから外れる。この状態で、本体５１を所望の角度まで回転させた後、上記引張り力を除くと、本体５１は、柱部材６２の復元力で元の位置に戻り、ホルダ５２のきり欠き５２ａが突起２３ｃに嵌合して、所望の角度を得ることができる。
【００５５】
また、アンテナ挿入孔２３ａにはパッキン２７が設けられているので、ホルダ５２が側板２１に当接することによって、アンテナ挿入孔２３ａは水密状態になる。
【００５６】
次に、図２に示すように、固定具６をその先端の係止部６３を先にして袋状ケース２の貫通孔２１ａ内に挿入し、ネジ６４を蓋部材６１のネジ孔６１ａに挿通し、底板２１にねじ込むことにより、固定具６を底板２１に固定する。そうすると、貫通孔２１ａを蓋部材６１が水密状態に塞ぐと共に、先端の係止部６３は、回路基板４の貫通孔４３および基部５３の貫通係合孔５３ａを貫通して、基部５３に自動的に係止する。こうして、固定具６を装着することによって、アンテナ５を袋状ケース２に保持すると共に、基部５３が貫通孔４５から突出した接続端子４４の凸部４４ａを押し下げるように固定的に接触し、アンテナ５と回路基板４とを電気的に接続することができる。なお、本実施形態では、基部５３は、回路基板４の上面に接した状態で挿入されているが、基部５３が回路基板４の下面に接した状態で挿入されとも良く、その場合は、接続端子４４の凸部４４ａを貫通孔４５の下方に向かって突出するようにしておけばよい。
【００５７】
次に、カバー３を前方段差部３４を前にして、袋状ケース２の後方から開口部２５の内部に差し込み、端子台４１を覆い、袋状ケース２の開口部２５を塞ぐ。
【００５８】
次に、ネジ３７を凹部３５のネジ孔３６に挿通し、底板２１に穿ったネジ孔にネジ３７を螺合させて、組立工程が終了する。
【００５９】
この第１実施形態によれば、袋状ケース２とカバー３で函体を形成し、アンテナ５を固定具６で保持しているので、従来の無線通信装置よりも部品点数が少なく、ネジ等による組立部が少なく、組み立て作業工数を削減することができると共に、外部に露出する部品間の接合部が少なくなるので、防水性能を高めることができる。
【００６０】
また、袋状ケース２の底面から固定具６を挿入することで、アンテナ５を保持することができると共に、アンテナ５と回路基板４を電気的に接続することができ、その結果、部品点数や組み立て作業工数を削減することができる。ひいては、製造コストを低減することができる。
【００６１】
また、袋状ケース２に対するアンテナ５の回転角度の保持およびその解除を、固定具３の弾性を利用して行うことができ、部品点数や組み立て作業工数を削減することができる。
【００６２】
（第２実施形態）
図５はこの第２実施形態の無線通信装置の主要断面図である。また、図５において、図１〜図４に示した第１実施形態の構成部と同一構成部は、図１〜図４における構成部と同一参照番号を付して説明を省略する。
【００６３】
上記無線通信装置においては、基部５３は、回路基板４の上面に位置するが互いに離間した状態である。そこで、本実施形態では、上記第１実施形態のブラケット２６に加えて、袋状ケース２０２の前板２４または上板２２に、基部５３の先端を挟持し、支持するための溝を有する固定リブ２８を設けてある。これにより、袋状ケース２０２内に挿入された基部５３が回路基板４と離間していても、基部５３の挿入および固定が確実であり、固定具６の柱部材６２の係合孔５３ａへの挿入が確実かつ容易である。
【００６４】
さらに、固定具６の柱部材６２の変形量を一定量以内に制限する制限リブ２９が、袋状ケース２０２の前板２４または上板２２の所定位置に設けてある。所定位置とは、固定具６の柱部材６２を係止孔５３ａに挿入した位置から柱部材６２の許容変形量だけアンテナ挿入孔２３ａ側に寄った位置である。この制限リブ２９を設けていることにより、袋状ケース２０２に対するアンテナ５の回転角度を変更するために、本体５１に矢印Ｂの方向に大きな引張り力を与えても、固定具６の柱部材６２が破損することを防げる。
【００６５】
また、本実施形態では、上記第１実施形態の接続端子４４を回路基板４に設けずに、固定具２０６を設けている。
【００６６】
すなわち、固定具２０６は、蓋部材２６１と柱部材２６２と係止部２６３とで構成され、導電性材料からなる柱部材２６２には、下端から左斜め方向に導電性材料からなり弾性を有する接点端子部材２６２ａが、中央部から右斜め方向に導電性材料からなり弾性を有する接点端子部材２６２ｂが夫々設けられている。
【００６７】
この接点端子部材２６２ａ，２６２ｂは、固定具２０６をその先端の係止部２６３を先にして袋状ケース２０２の貫通孔２１ａ、回路基板４の貫通孔４３および基部５３の貫通係合孔５３ａを貫通した際に、夫々回路基板４および基部５３に接触して、アンテナ５と回路基板４とが電気的に接続される。
【００６８】
この第２実施形態によれば、袋状ケース２０２の底面から２つの接点端子部材２６２ａ，２６２ｂを備えた固定具２０６を挿入するだけで、アンテナ５を保持することができると共に、アンテナ５と回路基板４を電気的に接続することができるので、従来の無線通信装置よりも部品点数が少なく、ネジ等による組立部が少なく、組み立て作業工数を削減することができると共に、外部に露出する部品間の接合部が少なくなるので、防水性能を高めることができる。
【００６９】
また、袋状ケース２に対するアンテナ５の回転角度の保持およびその解除を、固定具２０６の弾性を利用して行うことができ、部品点数や組み立て作業工数を削減することができる。
【００７０】
また、固定リブ２８を設けているので、基部５３の挿入および固定が確実であり、固定具２０６の柱部材２６２の係合孔５３ａへの挿入が確実かつ容易である。
【００７１】
また、この制限リブ２９を設けることによって、本体５１に大きな引張り力を与えても、固定具２０６の弾性変形量を制限しているので、固定具２０６の柱部材２６２が破損することを防げる。
【００７２】
言うまでもないが、本発明は、上記第１，第２実施形態に限定されない。例えば、上記第１実施形態と第２実施形態とを適宜組み合わせて本発明の一実施形態としてもよい。
【図面の簡単な説明】
【００７３】
【図１】図１は本発明の第１実施形態の無線通信装置の斜視図である。
【図２】図２は本発明の第１実施形態の無線通信装置の分解状態を示す部分断面図である。
【図３】図３は本発明の第１実施形態の無線通信装置の主要部の断面図である。
【図４】図４は本発明の第１実施形態の無線通信装置の主要部の断面図である。
【図５】図５は本発明の第２実施形態の無線通信装置の主要部の断面図である。
【図６】図６は従来の無線通信装置の分解斜視図である。
【符号の説明】
【００７４】
１  無線通信装置
２，２０２  袋状ケース
３  カバー
４  回路基板
５  アンテナ
６，２０６  固定具
２１ａ  貫通孔
２８  固定リブ
２９  制限リブ
４３  貫通孔
４４  接続端子
５１  本体
５３  基部
５３ａ  係合孔
６２，２６２  柱部材
６３，２６３  係止部
【図１】
2008017277.tif 000003
【図２】
2008017277.tif 000004
【図３】
2008017277.tif 000005
【図４】
2008017277.tif 000006
【図５】
2008017277.tif 000007
【図６】
2008017277.tif 000008